(57)【特許請求の範囲】
【請求項１】
鏡が支持された支持機構を内蔵する筒構造体を備えた鏡筒において、
上記筒構造体は、少なくとも３枚からなる複数の側板と、これらの側板の幅方向の端部を互いに連結して一体化した構造とする連結部とを有し、
上記連結部は、減衰性の材料を用いて上記側板の端部同士を連結して構成されていることを特徴とする鏡筒。
【請求項２】
上記側板は、短冊状の平板であることを特徴とする請求項１記載の鏡筒。
【請求項３】
上記側板は、上記筒構造体の径方向内側に屈曲した箇所を設けたことを特徴とする請求項１記載の鏡筒。
【請求項４】
上記筒構造体の径方向内側となる上記側板の面は、上記筒構造体の曲率となる曲率面としたことを特徴とする請求項１記載の鏡筒。
【請求項５】
上記連結部は、上記側板と同等の長さを有するつなぎ板を介在させていることを特徴とする請求項１乃至請求項４のいずれかに記載の鏡筒。
【請求項６】
上記つなぎ板は、上記筒構造体の径方向内側に屈曲したものであることを特徴とする請求項５記載の鏡筒。
【請求項７】
上記連結部は、隣り合う上記側板の幅方向の端部が径方向に上記減衰性の材料を介して重なり合う構造であることを特徴とする請求項１乃至請求項４のいずれかに記載の鏡筒。
【発明の詳細な説明】
【０００１】
【発明の属する技術分野】
この発明は、望遠鏡やカメラ等の光学装置に組み込まれ、支持機構を介して鏡等を内部に収納するための鏡筒に関するものである。
【０００２】
【従来の技術】
図１２は例えば特開昭５８−６６９２０号公報に記載された鏡筒の防振装置を示す分解斜視図である。
図１２において、投影レンズ（投影鏡）１、絞り羽根支持板２および羽根駆動板３が鏡筒２０内に光軸上に軸心を一致させて平行に配置されている。支持板２は、中央部に投影光束を通すための開口２ａが穿設され、中心からそれた部分に小孔２ｂが穿設されている。駆動板３は、中央部に投影光束を通すための開口３ａが穿設され、外周部にカム孔３ｂが穿設され、一面に曲げ起こし加工によって突起３ｃが形成され、さらに外周の一部から半径方向外方に延出する腕部３ｄが形成されている。
【０００３】
そして、絞り羽根４がその一面に立設されたピン５を支持板２の小孔２ｂに貫通させ、その他面に立設されたピン６を駆動板３のカム孔３ｂに貫通させて配設されている。また、腕部３ｄと鏡筒２０との間に引っ張りばね７が掛け渡され、駆動板３がこの引っ張りばね７により光軸周りに反時計方向に付勢されている。さらに、駆動板３の後方には、カム板１１、絞り値設定部材１２、絞り値設定環１３および駆動力伝達リング１４が光軸周りに回動可能に配設されている。
【０００４】
駆動力伝達リング１４は、両端に光軸方向に延びるフォーク部１４ａおよび腕部１４ｂを有し、フォーク部１４ａには連動部材１５の一端の腕部１５ａに立設されたピン１６が嵌入されている。連動部材１５は鏡筒２０に立設されたピン１７周りに回動可能となっており、他端の腕部１５ｂが駆動板３の腕部３ｄと接触可能となっている。駆動力伝達リング１４の腕部２４ｂは鏡筒２０から延出し、カメラボディ（図示せず）に立設されたピン１８周りに回動可能な絞りレバー１９の自由端に形成された屈曲部１９ａに接触可能とされている。
【０００５】
カム板１１は、中央部に投影光束を通すための開口１１ａが穿設され、外周面には所定形状のカム面１１ｂが形成され、半径方向で、かつ、側方に延出する屈曲した突起１１ｃが形成されている。カム面１１ｂには係止レバー２１の一面に立設されたピン２２が係合可能とされ、突起１１ｃは設定部材１２の一側に形成された凹部１２ａに嵌入している。係止レバー２１は、鏡筒２０に立設されたピン２３周りに回動可能とされ、中央部の一面にピン２２が立設されるとともに、自由端の他面には突起３ｃと係合可能なピン２４が立設されている。係止レバー２１はその自由端と鏡筒２０との間に配設された引っ張りばね２５によって時計方向に付勢されている。設定部材１２の他側の内周面にはピン２６が突設され、設定環１３の対向部分に形成されたフォーク部２３ａに嵌入している。
【０００６】
このように構成された従来の鏡筒２０の防振装置における動作について説明する。
まず、絞り値設定環１３を所定の位置に設定保持すると、設定部材１２を介してカム板１１が回転され、ピン２２とカム面１１ｂとの当接位置が決まる。従って、係止レバー２１、即ちピン２４の位置が決まり、羽根駆動板３が動き初めてから停止するまでの回転角が決まる。こうして、絞り値設定環１３の設定位置に連動して羽根駆動板３の左旋方向の回転角が決まる。
【０００７】
絞り値の設定後、カメラボディ側のシャッタボタンを押し下げると、カメラボディ上の絞りレバー１９がピン１８周りに左旋し、屈曲部１９ａと腕部１４ｂとの当接が解除される。これにより、伝達リング１４は、光軸周りに右旋可能となり、連動部材１５はピン１７周りに右旋可能となり、さらに駆動板３は光軸周りに左旋可能となる。そこで、駆動部材３は、腕部３ｄがバネ７の作用により上方に持ち上げられ、光軸周りに左旋する。これによりう、カム孔３ａとピン６との係合を介して絞り羽根４はピン５周りに左旋し、絞り羽根支持板２の開口２ａの中に侵入する。絞りはね４は開口２ａ周りに複数枚取り付けられているので、絞りはね４の左旋により開口２ａが絞り込まれる。
【０００８】
そして、絞り羽根駆動板３および絞り羽根４との左旋と、駆動力伝達リング１４の右旋とがさらに進むと、突起３ｃがピン２４に当接して駆動板３の左旋が停止し、絞り羽根４は、開口２ａを絞り値設定リング１３によって予め設定された値に絞り込む。これと同時に、連動部材１５を介して駆動板３と連動して動く駆動力伝達リング１４の右旋も停止する。
【０００９】
このように、駆動板３および絞り羽根４が左旋・停止するのに伴って、振動、衝撃が発生する。しかし、この振動、衝撃は、駆動板３および絞り羽根４と同期して右旋・停止する駆動力伝達リング１４によって打ち消され、鏡筒２０、即ちカメラ本体に伝達することはない、とされている。
なお、開放動作においても、駆動力伝達リング１４の動きが絞り駆動板３および絞り羽根４の回転方向と逆向きとなっており、しかも同時に停止するので、駆動板３および絞り羽根４の開放動作によって発生する振動、衝撃は、伝達リング１４によって打ち消され、カメラ本体に伝達することはない、とされている。
【００１０】
さらに、鏡筒を３個のユニットに分割構成し、フォーカシング部と、振れ防止光学系とその駆動機構とによる像振れ防止機構部と、振れ検出センサ部とを別々のユニットに配設し、鏡筒内で振れ検出センサに対する他の機構部からの振動等による直接的な影響を防止して、検出精度を向上させようとする従来の鏡筒の防振構造が、例えば特開平７−１８１５３５号公報等に提案されている。
【００１１】
【発明が解決しようとする課題】
従来の鏡筒の防振装置は、駆動部と鏡筒との間に防振部材を配置して、駆動部の作動により発生する振動・衝撃を防振部材の作動により相殺し、振動・衝撃が鏡筒に伝達されないように構成していた。
また、従来の鏡筒の防振構造は、鏡筒を軸方向に複数のユニットに分割構成し、各機構部と、振れ検出センサ部とを別々のユニットに配設して、鏡筒内で振れ検出センサに対する他の機構部からの振動等による直接的な影響を防止するように構成していた。
しかしながら、従来の鏡筒は、単に金属材料を筒状に成形して作製されているもので、即ち単一の筒状体に作製されているので、鏡筒に伝達された振動や衝撃を鏡筒内で減衰させるものではなかった。
そこで、従来の鏡筒に振動・衝撃が伝達されてしまうと、鏡筒が大きな振動振幅を発生してしまうという課題があった。
このような従来の鏡筒を組み込んだ望遠鏡等の光学装置がロケットに搭載される用途に適用されると、ロケット打ち上げの際のロケットの音響・振動環境に対して、大きな振動振幅が鏡筒に発生してしまうことになる。
【００１２】
この発明は、上記の課題を解消するためになされたもので、鏡筒自体を振動減衰構造に構成し、鏡筒に伝達された振動・衝撃を減衰させて大きな振動振幅の発生を抑制できる鏡筒を提供することを目的とする。
【００１３】
【課題を解決するための手段】
この発明に係る鏡筒は、鏡が支持された支持機構を内蔵する筒構造体を備えた鏡筒において、上記筒構造体は、少なくとも３枚からなる複数の側板と、これらの側板の幅方向の端部を互いに連結して一体化した構造とする連結部とを有し、上記連結部は、減衰性の材料を用いて上記側板の端部同士を連結して構成されているものである。
【００１４】
また、上記側板は、短冊状の平板である。
【００１５】
また、上記側板は、上記筒構造体の径方向内側に屈曲した箇所を設けたものである。
【００１６】
また、上記筒構造体の径方向内側となる上記側板の面は、上記筒構造体の曲率となる曲率面としたものである。
【００１７】
また、上記連結部は、上記側板と同等の長さを有するつなぎ板を介在させているものである。
【００１８】
また、上記つなぎ板は、上記筒構造体の径方向内側に屈曲したものである。
【００１９】
また、上記連結部は、隣り合う上記側板の幅方向の端部が径方向に上記減衰性の材料を介して重なり合う構造である。
【００２０】
【発明の実施の形態】
以下、この発明の実施の形態を図について説明する。
実施の形態１．
図１はこの発明の実施の形態１に係る鏡筒を組み込んだ望遠鏡を示す模式構成図、図２はこの発明の実施の形態１に係る鏡筒の構造を説明する図であり、図２の（ａ）はその端面図、図２の（ｂ）はその側面図である。図３はこの発明の実施の形態１に係る鏡筒を示す拡大端面図である。
【００２１】
図１において、望遠鏡２５は、一対の鏡筒１００が両側から支持機構２８のフランジ部２８ａに連結され、主鏡２６および副鏡２７が支持機構２８に支持されて、鏡筒１００内に内蔵されて、構成されている。
鏡筒１００は、図２および図３に示されるように、１２枚の側板３０がその幅方向の端面同士を近接させて筒状に配列され、つなぎ板３１がそれぞれの隣り合う側板３０の周方向の端部間に内周側および外周側で架設され、側板３０の幅方向の端部とつなぎ板３１との対向面同士が粘性体や粘弾性体等からなる減衰性の材料３２を用いて接着一体化されて、筒構造体に構成されている。なお、隣り合う側板３０の連結部は、隣り合う側板３０の端部とつなぎ板３１とを減衰性の材料３２を介して径方向に重ね合わせ、それらを減衰性の材料３２で接着一体化して構成されている。
ここで、側板３０は短冊状のアルミ平板で作製されている。また、つなぎ板３１は、長さが側板３０と同一で、幅が側板３０に比べて狭い短冊状のアルミ平板を、幅方向の中心位置で１５０度の曲げ角度で折り曲げてくの字状に成形されている。
【００２２】
このように構成された鏡筒１００は、隣り合う側板３０の周方向の端部同士が減衰性の材料３２を介在させてつなぎ板３１により連結されて、筒構造体に構成されているので、鏡筒１００は拘束型制振構造を採る。そこで、鏡筒１００に伝達された振動・衝撃エネルギーは、減衰性の材料３２の剪断変形により吸収され、鏡筒１００の振動振幅が小さく抑えられる。
従って、この鏡筒１００を組み込んだ望遠鏡２５がロケットに積み込まれても、ロケットの打ち上げの際に発生するロケットの振動・音響による外乱に起因する鏡筒１００の振動振幅を小さく抑えることができる。
【００２３】
また、側板３０が短冊状のアルミ平板で作製されているので、側板３０の作製が容易となる。
また、つなぎ板３１が幅方向の中心位置で１５０度の曲げ角度で折り曲げられているので、つなぎ板３１の曲げ角度が筒状に配列された隣り合う側板３０のなす角度に一致している。そこで、減衰性の材料３２によるつなぎ板３１と隣り合う側板３０の周方向端部との接着が容易となるとともに、減衰性の材料３２の厚みを周方向および軸方向に関して均一にできる。
また、つなぎ板３１が隣り合う側板３０の周方向端部間に内周側および外周側で架設されているので、側板３０間の接合強度を大きくすることができる。
【００２４】
ついで、図４に示される複合板モデルに基づいて、本願の効果について説明する。図４に示されるように、基板５１と制振層５２と拘束層５３とで構成される３層構造の複合板としての損失係数ηは、次式で求められる。
η＝{１２ｇη2／（１＋２ｇ＋（１＋η22）ｇ2）}・（Ｅ3ｈ3／Ｅ1ｈ1）・（ｈ31／ｈ1）2
但し、Ｅ1：基板５１のヤング率、Ｅ3：拘束層５３のヤング率、ｈ1：基板５１の厚さ、ｈ3：拘束層５３の厚さ、ｈ31＝ｈ2＋（ｈ1＋ｈ3）／２、η2は制振層５２の損失係数、ｇは剪断パラメータであり、次式で表現される。
ｇ＝ｆs／ｆ
ｆs＝（Ｇ2ｈ1／４πＥ3ｈ3ｈ2）・（Ｅ1／ρ1）1/2
なお、Ｇ2は制振層５２の剛性率、ｈ2は制振層５２の厚さ、ρ1は基板５１の密度である。
【００２５】
ついで、基板５１および拘束層５３に１ｍｍ厚のアルミ平板を用い、制振層５２に５ｍｍ厚の減衰性の材料３２を用いた場合について検討する。ここで、アルミのヤング率は７．２×１０10（Ｐａ）、アルミの密度は２７００（Ｋｇ／ｍ3）、減衰性の材料の剛性率は１×１０8（Ｐａ）であるので、上述の各式に、ｆ＝１００Ｈｚ、Ｅ1＝Ｅ3＝７．２×１０10（Ｐａ）、ｈ1＝ｈ3＝０．００１（ｍ）、ρ1＝２７００（Ｋｇ／ｍ3）、Ｇ2＝１×１０8（Ｐａ）、ｈ2＝０．００５（ｍ）を代入すると、複合板としての損失係数ηは１以上となる。つまり、本願の拘束型制振構造の損失係数は１以上となる。
ここで、アルミ板の損失係数は通常０．００１〜０．０１といわれているので、本願の拘束型制振構造を鏡筒に採用することにより、アルミ材で単一の円筒に作製された鏡筒に比べて、共振時の振動振幅を１００分の１〜１０００分の１に低減することができる。
【００２６】
ついで、この鏡筒１００とアルミ材で単一の円筒に形成された鏡筒（比較例）とを作製し、音響を各構造体に負荷し、各構造体の加速度を測定した結果を図４に示す。なお、図５において、実線が鏡筒１００の測定結果、点線が比較例の測定結果を示している。
図５から、１２５Ｈｚ以上での鏡筒１００の加速度応答は、比較例に対して、各オクターブバンド毎で約１０ｄＢ加速度が小さいことがわかる。
【００２７】
なお、上記実施の形態１では、１２枚の側板３０を用いて筒状構造体を構成するものとしているが、側板３０の枚数は１２枚に限定されるものではなく、３枚以上であればよい。この場合、つなぎ板３１の曲げ角度を側板３０の枚数に合わせて適宜設定することが望ましい。
また、上記実施の形態１では、隣り合う側板３０の端部同士を内周側および外周側でつなぎ板３１により連結するものとしているが、隣り合う側板３０の端部同士を内周側および外周側の両側でつなぎ板３１を用いて連結する必要はなく、隣り合う側板３０の端部同士を内周側および外周側の少なくとも一側でつなぎ板３１により連結するようにすればよい。
また、上記実施の形態１では、１２枚の側板３０の幅を同一としているが、幅の異なる側板を用いてもよい。この場合、任意の筒形状の鏡筒が得られることになる。
また、上記実施の形態１では、減衰性の材料３２が側板３０とつなぎ板３１との対向する部位に配設され、隣り合う側板３０間に空隙が形成されているが、減衰性の材料３２は、隣り合う側板３０間に空隙を形成しないようにつなぎ板３１間に充填塗布されてもよく、さらには側板３０とつなぎ板３１との間から溢れるように塗布されてもよい。
【００２８】
実施の形態２．
図６はこの発明の実施の形態２に係る鏡筒を示す拡大端面図である。
図６において、側板３３は側板３０の３枚分の幅を有する短冊状のアルミ平板を、その幅方向を３等分に分割する位置で１５０度の曲げ角度で折り曲げられた折り曲げ板で構成されている。そして、鏡筒１０１は、４枚の側板３３がその幅方向の端面同士を近接させて筒状に配列され、つなぎ板３１がそれぞれの隣り合う側板３３の周方向の端部間に内周側および外周側で架設され、側板３３の幅方向の端部とつなぎ板３１との対向面同士が減衰性の材料３２を用いて接着一体化されて、筒構造体に構成されている。ここで、隣り合う側板３３の連結部は、隣り合う側板３３の端部とつなぎ板３１とを減衰性の材料３２を介して径方向に重ね合わせ、それらを減衰性の材料３２で接着一体化して構成されている。
尚、他の構成は上記実施の形態１と同様に構成されている。
【００２９】
このように構成された鏡筒１０１は、隣り合う側板３３の周方向の端部同士が減衰性の材料３２を介在させてつなぎ板３１により連結されて、筒構造体に構成されているので、鏡筒１０１は拘束型制振構造を採る。そこで、鏡筒１０１に伝達された振動・衝撃エネルギーは、減衰性の材料３２の剪断変形により吸収され、鏡筒１０１の振動振幅が小さく抑えられる。
従って、この鏡筒１０１を組み込んだ望遠鏡がロケットに積み込まれても、ロケットの打ち上げの際に発生するロケットの振動・音響による外乱に起因する鏡筒１０１の振動振幅を小さく抑えることができる。
【００３０】
また、側板３３が３枚の側板３０を一体化した形状に形成されているので、鏡筒１０１は４枚の側板３３で鏡筒１００と等価の筒状構造体が得られる。そこで、つなぎ板３１および減衰性の材料３２による側板３３の連結箇所が削減され、鏡筒１０１の組立性が向上されるとともに、つなぎ板３１および減衰性の材料３２の使用量が削減され、低価格化が図られる。
【００３１】
なお、上記実施の形態２では、側板３３の幅方向を３等分に分割する位置で折り曲げられた折り曲げ板で構成されているが、側板３３の折り曲げ位置はその幅方向を３等分に分割する位置に限定されるものではなく、例えばその幅方向を２等分に分割する位置でも、４等分に分割する位置でもよい。この場合、折り曲げ角は折り曲げ位置の個数に応じて適宜設定することになる。
また、側板３３の幅方向を３等分に分割する位置で折り曲げられた折り曲げ板で構成されているが、折り曲げ位置は側板３３の幅方向を等分割する位置に限定されるものではなく、側板３３の幅方向を不等分に分割する位置で折り曲げるようにしてもよい。この場合、任意の筒形状の鏡筒が得られることになる。
また、上記実施の形態２では、４枚の側板３３の幅を同一としているが、幅の異なる側板を用いてもよい。この場合、任意の筒形状の鏡筒が得られることになる。
【００３２】
実施の形態３．
図７はこの発明の実施の形態３に係る鏡筒を示す拡大端面図である。
図７において、側板３４は短冊状のアルミ平板の幅方向の一側端側を厚み方向の一側に折り曲げ、さらにその折り曲げ片をアルミ平板の幅方向の一側外方に折り曲げて連結片３５が形成されている。そして、鏡筒１０２は、１２枚の側板３４が隣り合う一方の側板３４の連結片３５を他方の側板３４の幅方向の他側端部に径方向に重ね合わせるようにして筒状に配列され、隣り合う一方の側板３４の連結片３５と他方の側板３４の幅方向の他側端部との対向面同士が減衰性の材料３２を用いて接着一体化されて、筒構造体に構成されている。なお、隣り合う側板３４の連結部は、一方の側板３４の連結片３５と他方の側板３４の端部とを減衰性の材料３２を介して径方向に重ね合わせ、それらを減衰性の材料３２で接着一体化して構成されている。
ここで、連結片３５は、隣接する側板３４の端部に重ね合わせられた際に、該端部との隙間が周方向および軸方向に関して均一に形成されるように、筒状構造体の周壁を構成する側板３４の主部３４ａに対して厚み方向一側に所定量シフトされ、かつ、側板３４の主面に対して１５０度の角度をなしている。
なお、他の構成は上記実施の形態１と同様に構成されている。
【００３３】
このように構成された鏡筒１０２は、隣り合う側板３４の周方向の端部同士が減衰性の材料３２により接着一体化されて、筒構造体に構成されているので、鏡筒１０２は拘束型制振構造を採る。そこで、鏡筒１０２に伝達された振動・衝撃エネルギーは、減衰性の材料３２の剪断変形により吸収され、鏡筒１０２の振動振幅が小さく抑えられる。
従って、この鏡筒１０２を組み込んだ望遠鏡がロケットに積み込まれても、ロケットの打ち上げの際に発生するロケットの振動・音響による外乱に起因する鏡筒１０２の振動振幅を小さく抑えることができる。
【００３４】
また、側板３４はその端部を主部３４ａに対して厚み方向一側に所定量シフトしてなる連結片３５を有しているので、上記実施の形態１におけるつなぎ板３１が不要となる。従って、鏡筒１０２の組立性が向上されるとともに、つなぎ板３１が不要となる分、低価格化が図られる。
さらに、隣り合う側板３４間の接着箇所が１箇所となり、その分減衰性の材料３２の使用量が削減され、低価格化が図られる。
【００３５】
また、連結片３５は、隣接する側板３４の端部に重ね合わせられた際に、該端部との隙間が周方向および軸方向に関して均一に形成されるように、筒状構造体の周壁を構成する側板３４の主部３４ａに対して厚み方向一側に所定量シフトされ、かつ、側板３４の主面に対して１５０度の角度をなしているので、減衰性の材料３２による隣り合う側板３４の接着が容易となるとともに、減衰性の材料３２の厚みを周方向および軸方向に関して均一にできる。
【００３６】
なお、上記実施の形態３では、連結片３５が側板３４の主部３４ａに対して径方向外方にシフトするように形成されているものとしているが、連結片３５を側板３４の主部３４ａに対して径方向内方にシフトするように形成しても、同様の効果が得られる。
【００３７】
実施の形態４．
図８はこの発明の実施の形態４に係る鏡筒を示す拡大端面図である。
図８において、側板３６は側板３４の３枚分の幅を有する短冊状のアルミ平板を、その幅方向を３等分に分割する位置で１５０度の曲げ角度で折り曲げられた折り曲げ板で構成され、その折り曲げ板の周方向の一側端部に連結片３５が形成されている。そして、鏡筒１０３は、４枚の側板３６が隣り合う一方の側板３６の連結片３５を他方の側板３６の幅方向の他側端部に径方向に重ね合わせるようにして筒状に配列され、隣り合う一方の側板３６の連結片３５と他方の側板３６の幅方向の他側端部との対向面同士が減衰性の材料３２を用いて接着一体化されて、筒構造体に構成されている。ここで、隣り合う側板３６の連結部は、一方の側板３６の連結片３５と他方の側板３６の端部とを減衰性の材料３２を介して径方向に重ね合わせ、それらを減衰性の材料３２で接着一体化して構成されている。
なお、他の構成は上記実施の形態３と同様に構成されている。
【００３８】
このように構成された鏡筒１０３は、隣り合う側板３５の周方向の端部同士が減衰性の材料３２により接着一体化されて、筒構造体に構成されているので、鏡筒１０３は拘束型制振構造を採る。そこで、鏡筒１０３に伝達された振動・衝撃エネルギーは、減衰性の材料３２の剪断変形により吸収され、鏡筒１０３の振動振幅が小さく抑えられる。
従って、この鏡筒１０３を組み込んだ望遠鏡がロケットに積み込まれても、ロケットの打ち上げの際に発生するロケットの振動・音響による外乱に起因する鏡筒１０３の振動振幅を小さく抑えることができる。
【００３９】
また、側板３６が３枚の側板３４を一体化した形状に形成されているので、鏡筒１０３は４枚の側板３６で鏡筒１０２と等価の筒状構造体が得られる。そこで、減衰性の材料３２による側板３６の連結箇所が削減され、鏡筒１０３の組立性が向上されるとともに、減衰性の材料３２の使用量が削減され、低価格化が図られる。
【００４０】
実施の形態５．
図９はこの発明の実施の形態５に係る鏡筒を示す拡大端面図である。
図９において、側板３７は短冊状のアルミ平板の幅方向の一側端側を厚み方向の一側に折り曲げて連結片３８が形成されている。そして、鏡筒１０４は、１２枚の側板３７が隣り合う一方の側板３７の連結片３８を他方の側板３７の幅方向の他側端部に径方向に重ね合わせるようにして筒状に配列され、隣り合う一方の側板３７の連結片３８と他方の側板３７の幅方向の他側端部との対向面同士が減衰性の材料３２を用いて接着一体化されて、筒構造体に構成されている。なお、隣り合う側板３７の連結部は、一方の側板３７の連結片３８と他方の側板３７の端部とを減衰性の材料３２を介して径方向に重ね合わせ、それらを減衰性の材料３２で接着一体化して構成されている。ここで、連結片３７は、側板３７の主面に対して１５０度の角度をなしている。
なお、他の構成は上記実施の形態３と同様に構成されている。
【００４１】
このように構成された鏡筒１０４は、隣り合う側板３７の周方向の端部同士が減衰性の材料３２により接着一体化されて、筒構造体に構成されているので、鏡筒１０４は拘束型制振構造を採る。そこで、鏡筒１０４に伝達された振動・衝撃エネルギーは、減衰性の材料３２の剪断変形により吸収され、鏡筒１０４の振動振幅が小さく抑えられる。
従って、この鏡筒１０４を組み込んだ望遠鏡がロケットに積み込まれても、ロケットの打ち上げの際に発生するロケットの振動・音響による外乱に起因する鏡筒１０４の振動振幅を小さく抑えることができる。
【００４２】
また、連結片３８は側板３７の端部を厚み方向一側に折り曲げて形成されているので、上記実施の形態３に比べて連結片を形成する際の折り曲げ回数が削減され、側板３７の作製が容易となる。
【００４３】
なお、上記実施の形態５では、側板３７の連結片３７を隣接する側板３７の端部の径方向外側の面に減衰性の材料３２により接着一体化するものとしているが、側板３７の連結片３７を隣接する側板３７の端部の径方向内側の面に減衰性の材料３２により接着一体化しても、同様の効果が得られる。
【００４４】
実施の形態６．
図１０はこの発明の実施の形態６に係る鏡筒を示す拡大端面図である。
図１０において、側板３９は短冊状のアルミ平板の幅方向の両側端側を厚み方向の一側に折り曲げて連結片４０が形成されている。また、側板４１は短冊状のアルミ平板で作製されている。そして、鏡筒１０５は、側板３９と側板４１とが側板３９の連結片４０を側板４１の幅方向の端部に径方向に重ね合わせるようにして交互に筒状に配列され、隣り合う側板３９の連結片４０と側板４１の幅方向の他側端部との対向面同士が減衰性の材料３２を用いて接着一体化されて、筒構造体に構成されている。なお、隣り合う側板３９、４１の連結部は、側板３９の連結片４０と側板４１の端部とを減衰性の材料３２を介して径方向に重ね合わせ、それらを減衰性の材料３２で接着一体化して構成されている。ここで、連結片４１は、側板３９の主面に対して１５０度の角度をなしている。
なお、他の構成は上記実施の形態３と同様に構成されている。
【００４５】
このように構成された鏡筒１０５は、隣り合う側板３９、４１の周方向の端部同士が減衰性の材料３２により接着一体化されて、筒構造体に構成されているので、鏡筒１０５は拘束型制振構造を採る。そこで、鏡筒１０５に伝達された振動・衝撃エネルギーは、減衰性の材料３２の剪断変形により吸収され、鏡筒１０５の振動振幅が小さく抑えられる。
従って、この鏡筒１０５を組み込んだ望遠鏡がロケットに積み込まれても、ロケットの打ち上げの際に発生するロケットの振動・音響による外乱に起因する鏡筒１０５の振動振幅を小さく抑えることができる。
【００４６】
なお、上記実施の形態６では、側板３９の連結片４０を隣接する側板４１の端部の径方向外側の面に減衰性の材料３２により接着一体化するものとしているが、側板３９の連結片４０を隣接する側板４１の端部の径方向内側の面に減衰性の材料３２により接着一体化しても、同様の効果が得られる。
【００４７】
実施の形態７．
図１１はこの発明の実施の形態７に係る鏡筒を示す拡大端面図である。
図１１において、側板４２は短冊状のアルミ平板を円弧状に曲げられた曲面板に作製されている。また、つなぎ板４３は、長さが側板４２と同一で、幅が側板４２に比べて狭い短冊状のアルミ平板を、円弧状に曲げられた曲面板に作製されている。そして、鏡筒１０６は、１２枚の側板４２がその幅方向の端面同士を近接させて筒状に配列され、つなぎ板４３がそれぞれの隣り合う側板４２の周方向の端部間に内周側および外周側で架設され、側板４２の幅方向の端部とつなぎ板４３との対向面同士が減衰性の材料３２を用いて接着一体化されて、筒構造体に構成されている。つまり、側板４２の径方向内側の面が筒構造体の曲率に一致する曲率面に形成されている。ここで、隣り合う側板４２の連結部は、隣り合う側板４２の端部とつなぎ板４３とを減衰性の材料３２を介して径方向に重ね合わせ、それらを減衰性の材料３２で接着一体化して構成されている。
尚、他の構成は上記実施の形態１と同様に構成されている。
【００４８】
このように構成された鏡筒１０６は、隣り合う側板４２の周方向の端部同士が減衰性の材料３２を介在させてつなぎ板４３により連結されて、筒構造体に構成されているので、鏡筒１０６は拘束型制振構造を採る。そこで、鏡筒１０６に伝達された振動・衝撃エネルギーは、減衰性の材料３２の剪断変形により吸収され、鏡筒１０６の振動振幅が小さく抑えられる。
従って、この鏡筒１０６を組み込んだ望遠鏡がロケットに積み込まれても、ロケットの打ち上げの際に発生するロケットの振動・音響による外乱に起因する鏡筒１０６の振動振幅を小さく抑えることができる。
【００４９】
また、側板４２が円弧状の曲面板で構成されているので、円筒状の筒構造体が得られる。
また、つなぎ板４３が円弧状の曲面板で構成されているので、減衰性の材料３２によるつなぎ板４３と隣り合う側板４２の周方向端部との接着が容易となるとともに、減衰性の材料３２の厚みを周方向および軸方向に関して均一にできる。
【００５０】
ここで、上記実施の形態７では、上記実施の形態１における側板３０を円弧状の曲面板で構成するものとしているが、上記実施の形態３における側板３４を円弧状の曲面板で構成しても、同様の効果が得られる。
【００５１】
なお、上記各実施の形態では、側板およびつなぎ板にアルミ材を用いるものとしているが、側板およびつなぎ板はアルミ材に限定されるものではなく、例えば銅材やアルミ合金等の金属材料を用いてもよい。また、側板およびつなぎ板には、金属材料からなるハニカム構造体を用いてもよい。また、側板およびつなぎ板が金属材料で作製されていない場合、例えばＦＲＰ（Fiber Reinforced Plastic）で作製されている場合、加工効率は金属材料よりも落ちるが、周囲振動環境に起因する鏡筒の振動振幅を小さくできることは明白である。
また、上記各実施の形態では、望遠鏡に組み込まれる鏡筒に適用するものとして説明しているが、本発明は望遠鏡に組み込まれる鏡筒に限定されるものではなく、カメラ等の光学装置に組み込まれる鏡筒に適用しても、同様の効果が得られる。
また、上記各実施の形態では、同一形状の側板を用いて筒構造体を作製するものとしているが、上記各実施の形態の側板を組み合わせて筒構造体を作製しても、同様の効果が得られる。
また、減衰性の材料３２としては、減衰性能を有する材料であればよく、例えばシリコーン系接着剤やフッ素系接着剤などの高分子材料が用いられる。
【００５２】
【発明の効果】
この発明は、以上のように構成されているので、以下に記載されているような効果を奏する。
【００５３】
この発明によれば、鏡が支持された支持機構を内蔵する筒構造体を備えた鏡筒において、上記筒構造体は、少なくとも３枚からなる複数の側板と、これらの側板の幅方向の端部を互いに連結して一体化した構造とする連結部とを有し、上記連結部は、減衰性の材料を用いて上記側板の端部同士を連結して構成されているので、伝達された振動・衝撃エネルギーが、減衰性の材料の剪断変形により吸収され、振動振幅を小さく抑えることができる鏡筒が得られる。
【００５４】
また、上記側板は、短冊状の平板であるので、側板の作製が容易となる。
【００５５】
また、上記側板は、上記筒構造体の径方向内側に屈曲した箇所を設けたので、減衰性の材料による接着箇所が削減され、組立性が向上される。
【００５６】
また、上記筒構造体の径方向内側となる上記側板の面は、上記筒構造体の曲率となる曲率面としたので、円筒状の鏡筒が得られる。
【００５７】
また、上記連結部は、上記側板と同等の長さを有するつなぎ板を介在させているので、側板の作製が容易となる。
【００５８】
また、上記つなぎ板は、上記筒構造体の径方向内側に屈曲しているので、減衰性の材料の厚みを均一にすることができる。
【００５９】
また、上記連結部は、隣り合う上記側板の幅方向の端部が径方向に上記減衰性の材料を介して重なり合う構造であるので、つなぎ板が不要となり、組立性が向上されるとともに、低価格化が図られる。
【図面の簡単な説明】
【図１】  この発明の実施の形態１に係る鏡筒を組み込んだ望遠鏡を示す模式構成図である。
【図２】  この発明の実施の形態１に係る鏡筒の構造を説明する図である。
【図３】  この発明の実施の形態１に係る鏡筒を示す拡大端面図である。
【図４】  この発明の実施の形態１に係る拘束型制振構造のモデルを示す構成図である。
【図５】  この発明の実施の形態１に係る鏡筒における音響負荷と加速度との関係を示す図である。
【図６】  この発明の実施の形態２に係る鏡筒を示す拡大端面図である。
【図７】  この発明の実施の形態３に係る鏡筒を示す拡大端面図である。
【図８】  この発明の実施の形態４に係る鏡筒を示す拡大端面図である。
【図９】  この発明の実施の形態５に係る鏡筒を示す拡大端面図である。
【図１０】  この発明の実施の形態６に係る鏡筒を示す拡大端面図である。
【図１１】  この発明の実施の形態７に係る鏡筒を示す拡大端面図である。
【図１２】  従来の鏡筒の防振装置を示す分解斜視図である。
【符号の説明】
２６  主鏡、２７  副鏡、２８  支持機構、３０、３３、３４、３６、３７、３９、４１、４２  側板、３１、４３  つなぎ板、３２  減衰性の材料、３５、３８、４０  連結片、１００、１０１、１０２、１０３、１０４、１０５、１０６  鏡筒。
【図１】
0004132763.tif 000002
【図２】
0004132763.tif 000003
【図３】
0004132763.tif 000004
【図４】
0004132763.tif 000005
【図５】
0004132763.tif 000006
【図６】
0004132763.tif 000007
【図７】
0004132763.tif 000008
【図８】
0004132763.tif 000009
【図９】
0004132763.tif 000010
【図１０】
0004132763.tif 000011
【図１１】
0004132763.tif 000012
【図１２】
0004132763.tif 000013